(57)【要約】      （修正有）【課題】優れたルアーアクションやバリエーション変化を実現し、対象魚に対する強いアピール効果を得る釣り用ルアーを提供する。【解決手段】小魚を模した外観形状となるように形成されたルアーボディ１を有する。ルアーボディ１の後端部に別体の尾ひれ４が着脱可能に付設され、尾ひれ４をルアーボディ１に対して可動に支持する支持部を設ける。ルアーボディ１の尾ひれ付け根部１１が二股状に分岐し、それぞれの先端部位に相互に当接する突片１２Ａ，１２Ｂを形成して支持部１０が構成される。【選択図】図５
0003116938.tif 000002
【実用新案登録請求の範囲】
【請求項１】
小魚を模した外観形状となるように形成されたルアーボディを有する釣り用ルアーであって、
前記ルアーボディの後端部に別体の尾ひれが着脱可能に付設され、前記尾ひれを前記ルアーボディに対して可動に支持する支持部を設けたことを特徴とする釣り用ルアー。
【請求項２】
前記ルアーボディの尾ひれ付け根部が二股状に分岐し、それぞれの先端部位に相互に当接する突片を形成して前記支持部が構成されることを特徴とする請求項１に記載の釣り用ルアー。
【請求項３】
前記尾ひれの前端部に前記突片と係合する長穴を開設し、前記尾ひれが少なくとも前記ルアーボディの軸線に対して左右方向およびロール方向に可動に結合することを特徴とする請求項１または２に記載の釣り用ルアー。
【請求項４】
前記尾ひれ付け根部は可撓性を有し、その拡開変形により前記突片間に間隙が形成されるようにしたことを特徴とする請求項１〜３のいずれか１項に記載の釣り用ルアー。
【考案の詳細な説明】
【技術分野】
【０００１】
本考案は、釣り用ルアーに関するものである。
【背景技術】
【０００２】
ルアー釣りにおいて、対象魚の種類等に応じて様々な形態や工夫が施されたルアーが考案されている。たとえば、所謂フィッシュイーターと呼ばれる主に小魚を常食餌とする大型の対象魚の場合、小魚に似せた形態のルアーが使用される。対象魚を誘い、つまり対象魚に対して強くアピールする集魚効果を得るために、ルアーの形や色彩等につき工夫がなされている。
【０００３】
従来ルアーでは、たとえばルアーボディ表面に適宜の塗装を施し、小魚に似せた形態としたものが知られている。このようにルアーボディの表面処理を行なうことで、対象魚に対してアピール効果を得ようとするものである。
【考案の開示】
【考案が解決しようとする課題】
【０００４】
ところで、ルアーにおける対象魚に対するアピール効果は形態ばかりでなく、ルアーが水中での遊泳中にとるルアーアクションもまた重要なポイントになる。つまり実際の小魚の泳ぎ方に似るほど対象魚に対して強くアピールする。しかしながら、小魚の泳ぎの再現性を向上させるルアーアクションを実現するのは必ずしも容易でなかった。
また、実使用においては状況に応じて形態等につきバリエーションを持たせたい場合もあるが、実際上そのような要請に簡単に対応することができないのが実情である。
【０００５】
本考案はかかる実情に鑑み、優れたルアーアクションやバリエーション変化を実現し、対象魚に対する強いアピール効果を得る釣り用ルアーを提供することを目的とする。
【課題を解決するための手段】
【０００６】
本考案の釣り用ルアーは、小魚を模した外観形状となるように形成されたルアーボディを有する釣り用ルアーであって、前記ルアーボディの後端部に別体の尾ひれが着脱可能に付設され、前記尾ひれを前記ルアーボディに対して可動に支持する支持部を設けたことを特徴とする。
【０００７】
また、本考案の釣り用ルアーにおいて、前記ルアーボディの尾ひれ付け根部が二股状に分岐し、それぞれの先端部位に相互に当接する突片を形成して前記支持部が構成されることを特徴とする。
【０００８】
また、本考案の釣り用ルアーにおいて、前記尾ひれの前端部に前記突片と係合する長穴を開設し、前記尾ひれが少なくとも前記ルアーボディの軸線に対して左右方向およびロール方向に可動に結合することを特徴とする。
【０００９】
また、本考案の釣り用ルアーにおいて、前記尾ひれ付け根部は可撓性を有し、その拡開変形により前記突片間に間隙が形成されるようにしたことを特徴とする。
【考案の効果】
【００１０】
本考案によれば、尾ひれは支持部を介して、釣糸の引き加減等により左右に大きく振れ動き、あるいは左右斜めに傾斜してローリング状の動きをし、このような尾ひれの動きにより、実際の小魚の泳ぎ方に極めて近いルアーアクションを実現することができる。従って、対象魚に対する強いアピール効果が得られ、その結果、高い釣果を期待することができる。
【００１１】
また、尾ひれ付け根部は可撓性を有し、弾性変形させることで左右の突片間に間隙が形成され、この状態で尾ひれを取り外し、あるいは別のものと付け替えることができる。この場合、尾ひれ付け根部自体に弾性を持たせているため、特別な弾性部材等を用いることなく拡開変形し、簡単な構造で自由に尾ひれを取り外しすることができる。釣り現場の状況に合わせて最適な尾ひれ４を使用することで、高い釣果を期待可能である。
【考案を実施するための最良の形態】
【００１２】
以下、本考案による釣り用ルアーの好適な実施の形態について、添付図面に基づいて詳細に説明する。
図１は、この実施形態における釣り用ルアーの例を示している。図において、１はルアーボディ、２はルアーボディ１の先端部付近に付設した潜水板（所謂、リップ）、３はルアーボディ１の先端部に設けた糸環であり、この糸環３に釣糸が結び付けられる。また、４はルアーボディ１の後端部に付設された尾ひれであり、この尾ひれ４まわりについては後述する。さらに、５はフックハンガ、６はフックハンガであり、これらにフロントフック（釣針）７およびリヤフック８が係着する。
【００１３】
ルアーボディ１は、合成樹脂等の材料により小魚に似せた外観形状となるように形成され、概略中空構造を有している。ルアーボディ１はその長手方向（前後方向）に沿って二分した２つのボディハーフを相互に接合してなる。また、潜水板２は、ルアーボディ１に対して適度に下方に傾斜するように設けられる。これにより釣糸を引くことでルアーは潜行姿勢をとることができる。
【００１４】
ルアーボディ１の内部には、通常金属製の重り機能を有するバランスウェイト（図示せず）が内蔵されている。バランスウェイトとしてルアーボディ１の所定部位に固定されるもの、あるいはルアーボディ１の長手方向に沿って移動可能なものを含んでよい。
【００１５】
本考案において尾ひれ４は、金属材料（アルミニウム合金あるいはステンレス鋼等）の薄板材により小魚の尾ひれに似せた形状となるように形成される。特に、尾ひれ４はルアーボディ１とは別体であり、その後端部に着脱可能に付設される。この場合、尾ひれ４をルアーボディ１に対して可動に支持する支持部１０（図２参照）を有している。
【００１６】
図２および図３等に示すようにルアーボディ１の後端部において、尾ひれ付け根部１１が二股状に分岐し、それぞれの先端部位に相互に当接する左右の突片１２Ａ，１２Ｂを形成して支持部１０が構成される。この場合、図４に示されるように各尾ひれ付け根部１１とも、上下２段の突片１２Ａ，１２Ｂを有し、この例では図示例のように一方の尾ひれ付け根部１１にはさらに、上下の突片１２Ｂ，１２Ｂ間に突片１２Ａ側まで適度に延出する突片１３が設けられる。
【００１７】
ここで、図１に示すように尾ひれ４の前端部には、突片１２Ａ，１２Ｂと係合する長穴４ａが開設される。この長穴４ａは突片１２Ａ，１２Ｂに対してラフに、すなわち適度な遊びを以って形成される。そして、後述するように尾ひれ４は、少なくともルアーボディ１の軸線に対して左右方向およびロール方向に可動に結合する。
【００１８】
また、尾ひれ付け根部１１は可撓性を有し、図３の二点鎖線により示されるように拡開変形可能である。そして、尾ひれ付け根部１１がこのように弾性変形することにより、突片１２Ａ，１２Ｂ間に間隙１４が形成される。なお、尾ひれ付け根部１１の基部には補強用リブ１５が設けられる。
【００１９】
本考案の釣り用ルアーにおいて、キャスティングされたルアーは着水後、釣糸を引くことで潜水板２が水流抵抗を受けて、水中で前傾姿勢をとって潜行する。その場合、釣糸の引き加減あるいは水流の加減で、ルアーボディ１の遊泳を緩急制御することができる。
【００２０】
その際、尾ひれ４は支持部１１を介してルアーボディ１に対して可動に結合し、釣糸の引き加減あるいは水流の加減で図５のように左右に大きく振れ動き、あるいは図６のように左右斜めに傾斜してローリング状の動きをする。このような尾ひれ４の動きにより、実際の小魚の泳ぎ方に極めて近いルアーアクションを実現することができる。従って、対象魚に対する強いアピール効果が得られ、その結果、高い釣果を期待することができる。
【００２１】
また、尾ひれ付け根部１１は可撓性を有し、前述のように拡開変形可能である。常態では突片１２Ａ，１２Ｂは適度な圧力で弾接し、これにより尾ひれ４を、支持部１１から不用意に外れることなく的確に保持する。この場合、突片１３が突片１２Ｂからさらに突片１２Ａ側まで延出しているため、尾ひれ４をさらに外れ難くすることができる。
【００２２】
一方、手指を使って尾ひれ付け根部１１を弾性変形させ、突片１２Ａ，１２Ｂ間に間隙１４が形成され、この状態で尾ひれ４を取り外し、あるいは別のものと付け替えることができる。この場合、尾ひれ付け根部１１自体に弾性を持たせているため、特別な弾性部材等を用いることなく拡開変形し、簡単な構造で自由に尾ひれ４を取り外しすることができる。釣り現場の状況に合わせて最適な尾ひれ４を使用することで、高い釣果を期待可能である。
【００２３】
上記の場合、金属製の尾ひれ４によれば、光反射率を高くして所謂、フラッシング作用により集魚効果を高めることができる。また、尾ひれ４が動くことでより一層リアル感のあるルアーアクションが得られ、可動部からの音響効果が尾ひれ４の動きと相俟って対象魚に対して強くアピールする。
【００２４】
なお、本考案の好適な実施形態を説明したが、本考案は上述した実施形態にのみ限定されるものではなく、必要に応じて適宜変更等が可能である。
たとえば、支持部１０の突片１２Ａ，１２Ｂは、図７に示すように凹凸状に形成し、あるいは山・谷状に形成することも可能である。
また、尾ひれ４は様々な形状、様々な素材や異素材の組合せ、様々な表面仕上げを採用することができる。
【図面の簡単な説明】
【００２５】
【図１】本考案の実施形態に係る釣り用ルアーの側面図である。
【図２】本考案の実施形態に係る尾ひれ付け根部まわりの構成例を示す斜視図である。
【図３】本考案の実施形態に係る尾ひれ付け根部まわりの構成例を示す平面図である。
【図４】本考案の実施形態に係る突片まわりの構成例を示す図である。
【図５】本考案の実施形態に係る尾ひれの作用を示す図である。
【図６】本考案の実施形態に係る尾ひれの作用を示す図である。
【図７】本考案の実施形態に係る突片の変形例を示す図である。
【符号の説明】
【００２６】
１  ルアーボディ
２  潜水板
３  糸環
４  尾ひれ
５，６  フックハンガ
７  フロントフック
８  リヤフック
９  背ひれ
１０  支持部
１１  尾ひれ付け根部
１２Ａ，１２Ｂ，１３  突片
１４  間隙
１５  補強用リブ
【図１】
0003116938.tif 000003
【図２】
0003116938.tif 000004
【図３】
0003116938.tif 000005
【図４】
0003116938.tif 000006
【図５】
0003116938.tif 000007
【図６】
0003116938.tif 000008
【図７】
0003116938.tif 000009